(57)【要約】【課題】外部から大きな外力が作用した場合であっても半連結状態となることを防止する構成を、小形で省スペースであると共に、簡単な構造でコストが低く、さらに分解してリサイクル可能に実施可能なコネクタ装置を提供する。【解決手段】第１コネクタ２と第２コネクタ３とを連結することにより両方のコネクタ２，３に接続されたワイヤ５，６を電気的に接続することができる。第１コネクタ２に固定用部材４を装着すると、固定用部材４に形成された孔部１０が第１コネクタ２の両側面に突出形成された爪部１１に係止される。この状態では、固定用部材４が第１コネクタ２と第２コネクタ３に対して蓋のように機能するので、コネクタ２，３の組付け時に、第２コネクタ３に第１コネクタ２に対して傾いてしまうような大きな外力が作用するにしても、第２コネクタ３が傾いてしまうことを規制することができる。【選択図】図１
2007220525.tif 000002
【特許請求の範囲】
【請求項１】
第１コネクタと第２コネクタとを連結することにより両者を電気的に接続するコネクタ装置において、
前記第１コネクタ及び第２コネクタの少なくとも一方のコネクタに装着される固定用部材を備え、
前記固定用部材は、前記一方のコネクタへの装着状態で当該コネクタに連結された他方のコネクタが連結方向と直交する方向に傾くことを規制する傾き規制部を備えて構成されていることを特徴とするコネクタ装置。
【請求項２】
前記固定用部材は、前記一方のコネクタへの装着状態で当該コネクタに連結された前記他方のコネクタが連結方向と反対方向に抜き出ることを規制する抜き規制部を備えて構成されていることを特徴とする請求項１記載のコネクタ装置。
【請求項３】
前記固定用部材は、前記一方のコネクタへの装着状態で当該コネクタに連結された他方のコネクタとの連結部を外部から視認可能とする窓部を備えて構成されていることを特徴とする請求項１または２記載のコネクタ装置。
【発明の詳細な説明】
【技術分野】
【０００１】
本発明は、第１コネクタと第２コネクタとを連結することにより両者を電気的に接続するコネクタ装置に関する。
【背景技術】
【０００２】
例えば電気信号用ハーネス、或いは電源用ハーネスでは、オスコネクタとメスコネクタとを連結させることにより両方のコネクタ同士を電気的に接続するようにしている（特許文献１参照）。
【特許文献１】特開平７−１０６０１８号公報
【発明の開示】
【発明が解決しようとする課題】
【０００３】
ところで、ハーネス類の組付けを行うときに、連結したコネクタに大きな外力が作用した場合は、両者のコネクタが半連結状態としまうことがある。特に、コネクタの連結方向に対して斜め方向に大きな外力が作用した場合は、一方のコネクタに対して他方のコネクタが傾いてしまい、半連結状態となりやすい。このようにコネクタが半連結状態となってしまった場合は、両方のコネクタの電気的接続に支障を生じることがある。
そこで、両方のコネクタ同士を当該コネクタに一体に構成された固定用部品により固定することにより、組付け後の外力による半連結状態の発生を防止することが行われている。
【０００４】
しかしながら、このような半連結防止機能を有したコネクタは、構造が複雑であったり、金属部品を使ったりしていたため、以下のような問題点がある。
１．大形のものが多く、省スペースで実施することが困難である。
２．量産効果を考えた場合、通常のコネクタで十分な箇所にも高価なコネクタを使用しなければならない。また、外形が同一であっても異なる種類のコネクタを使用すると、管理の手間が増える。
３．固定用部品がコネクタと一体構造であり、分解作業や分別作業が必要なため、リサイクルに手間やコストが掛かる。
【０００５】
本発明は上記事情に鑑みてなされたもので、その目的は、外部から大きな外力が作用した場合であっても半連結状態となることを防止する構成を、小形で省スペースであると共に、簡単な構造でコストが低く、さらに分解してリサイクル可能に実施可能なコネクタ装置を提供することにある。
【課題を解決するための手段】
【０００６】
請求項１の発明によれば、第１コネクタと第２コネクタとを連結することにより両者を電気的に接続することができる。ここで、一方のコネクタに固定用部材を装着すると、この固定用部材の傾き規制部により他方のコネクタが連結方向と直交する方向に傾くことが規制される。これにより、ハーネス類の組付け時に連結したコネクタに連結方向と直交する方向に力が作用するにしても、他方のコネクタが一方のコネクタに対して傾いてしまうことにより半連結状態となってしまうことを防止できる。
【０００７】
請求項２の発明によれば、固定用部材の抜き規制部により他方のコネクタが一方のコネクタから抜け出ることが規制される。これにより、ハーネス類の組付け時に連結したコネクタに連結方向と反対方向への力が作用するにしても、他方のコネクタが一方のコネクタに対して抜け出てしまうことにより半連結状態となってしまうことを防止できる。
【０００８】
請求項３の発明によれば、固定用部材の窓部によりコネクタ同士の連結部を外部から視認することができることから、固定用部材をコネクタに装着した状態でありながら、コネクタ同士の連結状態を外部から確認することができる。
【発明を実施するための最良の形態】
【０００９】
以下、本発明の一実施例について図１ないし図４を参照して説明する。
図１ないし図３は、固定用部材を取外して示すコネクタ装置の斜視図、側面図、正面図である。これらの図１ないし図３において、コネクタ装置１は、第１コネクタ２、第２コネクタ３、固定用部材４から構成されている。第１コネクタ２及び第２コネクタ３は直方体形状をなしており、一方がオスコネクタ、他方がメスコネクタからなる周知構成のものである。第１コネクタ２と第２コネクタ３とを連結することにより、両者のコネクタ２，３が嵌合されて電気的に接続可能となっている。これらのコネクタ２，３は、ワイヤハーネスの連結用コネクタであり、両者のコネクタ２，３の連結状態で第１コネクタ２に接続されたワイヤ５と第２コネクタ３に接続されたワイヤ６とを電気的に接続することができる。また、第１コネクタ２から第２コネクタ３を強く引き抜くことにより両者の連結状態を解除することができる。
【００１０】
本実施例では、第１コネクタ２に固定用部材４を装着可能となっている。この固定用部材４は、矩形板状の天部７の外周縁部を図示下方に突出した鍔部８が囲繞する蓋形状をなしており、コネクタ２，３のハウジングと同一の材質（ＰＣ（ポリカーボネイト）樹脂、或いはＡＢＳ（アクリロニトリル・ブタジエン・スチレン）樹脂など）が使用されている。固定用部材４の鍔部８において長手方向となる鍔部８には、図示下方に突出した係止部９が一体に形成されており、その係止部９に孔部１０が形成されている。第１コネクタ２の側面において長手方向となる両側の側面には爪部１１が突出形成されており、固定用部材４の係止部９に形成された孔部１０が係止されるようになっている。
【００１１】
ここで、第１コネクタ２に固定用部材４が装着された形態では、図４に示すように第１コネクタ２と第２コネクタ３の上面全体を固定用部材４が蓋のように被さるようになっている。この場合、固定用部材４の鍔部８のうち第２コネクタ３の長手方向となる側面に対向する鍔部８は、当該側面の上部に密着することにより傾き規制部として機能する。また、固定用部材４の鍔部８のうち第２コネクタ３の連結方向と反対方向となる端面に対向する鍔部８は、当該端面に密着することにより抜き規制部として機能する。
固定用部材４の天部７には窓部１２が形成されている。この窓部１２は、固定用部材４が第１コネクタ２に装着された形態で、図４に示すように第１コネクタ２に対する第２コネクタ３の連結部を外部から視認可能なように形成されている。
【００１２】
次に上記構成の作用について説明する。
第１コネクタ２に接続されたワイヤ５と第２コネクタに接続されたワイヤ６とを電気的に接続するには、第１コネクタ２と第２コネクタ３とを連結する。この場合、第１コネクタ２及び第２コネクタ３の一方がオスコネクタ、他方がメスコネクタの関係にあることから、それらのコネクタ２，３同士の嵌合力により両者の連結が図られている。
【００１３】
このようにして第１コネクタ２と第２コネクタ３とを連結して組付けることができるものの、組付け時に第１コネクタ２に連結された第２コネクタ３に対して大きな外力が作用した場合、特に第２コネクタ３の長手方向に大きな外力が作用した場合は、両者のコネクタ２，３が半連結状態となってそれらの間の導通が不確実となる虞がある。
【００１４】
そこで、第１コネクタ２と第２コネクタ３とを連結したときは、第１コネクタ２に固定用部材４を装着する。つまり、第１コネクタ２の側面に形成された爪部１１に固定用部材４の係止部９に形成された孔部１０を係止する。これにより、第１コネクタ２及び第２コネクタ３の上面全体に固定用部材４が蓋のように被さるようになるので、固定用部材４の鍔部８が第１コネクタ２及び第２コネクタ３の長手方向となる両側面及び連結方向と反対方向となる両端面に密着するようになる。
【００１５】
以上のように固定用部材４が第１コネクタ２に装着された形態では、固定用部材４が、連結状態の第１コネクタ２及び第２コネクタ３に対して蓋のように機能する。これにより、第２コネクタ３に第１コネクタ２に対する連結方向と直交する方向に傾く力が作用するにしても、第２コネクタ３の長手方向となる側面に密着する鍔部８が傾き規制部として機能するようになるので、第２コネクタ３が第１コネクタ２に対して傾いてしまうことはなく、もって両方のコネクタ２，３が半連結状態となってしまうことを確実に防止できる。
【００１６】
また、コネクタ２，３の組付け時に、第２コネクタ３に対して第１コネクタ２から抜き出る力が作用するにしても、固定用部材４の鍔部８においてコネクタ２，３の連結方向と反対方向となる端面に密着する鍔部８が抜き規制部として機能するようになるので、第２コネクタ３が第１コネクタ２から抜き出てしまうことを確実に防止できる。
【００１７】
尚、固定用部材４の天部７に窓部１２を形成し、第１コネクタ２と第２コネクタ３との連結部を外部から視認可能としたので、作業者は、コネクタ２，３同士の連結状態を確認することができる。
一方、第１コネクタ２から第２コネクタ３を離脱させたい場合は、まず、固定用部材４を第１コネクタ２から離脱させてから、第２コネクタ３を第１コネクタ２から強く引張ることにより、第２コネクタ３を第１コネクタ２から離脱させることができる。
【００１８】
このような実施例によれば、第２コネクタ３が連結された第１コネクタ２に固定用部材４を装着することにより、固定用部材４の鍔部８により第２コネクタ３が第１コネクタ２に対して傾いてしまったり、抜き出てしまったりすることを規制するようにしたので、第１コネクタ２と第２コネクタ３とが単に連結されているだけの構成に比較して、傾きによるコネクタ２，３の半連結状態、或いはコネクタ２，３の離脱を防止でき、コネクタ２，３によるワイヤ５，６の電気的な接続状態を確実に担保することができる。
しかも、固定用部材４は、蓋のような扁平形状に形成されているので、全体形状を小形に形成でき、省スペースで実施することができる。
【００１９】
また、種類が異なるコネクタを複数用意する場合であっても、コネクタの外形形状を統一することにより、固定用部材４を共通化して使用することができ、管理が容易となる。
さらに、固定用部材４はコネクタ２，３と別部材であるので、分解作業や分別作業が容易であり、リサイクルが容易である。この場合、固定用部材４の材質はコネクタ２，３のハウジングと同一の材質であることから、リサイクルが一層容易である。
【００２０】
本発明は、上記実施例に限定されることなく、次のように変形または拡張できる。
第１コネクタ２としては、図５に示すようにプリント配線基板２１にリード２２を介して実装するタイプのものに適用するようにしてもよい。
第２コネクタ３にも爪部１１を形成し、第１コネクタ２に加えて第２コネクタ３の両方のコネクタに固定用部材４を装着するようにしてもよい。
第１コネクタ及び第２コネクタ３の両側方向から２つの固定用部材を装着することにより、コネクタ２，３の側面全体を固定用部材で完全に囲繞するようにしてもよい。この場合、２つの固定用部材の形状を同一形状とすることにより管理が容易となる。
【図面の簡単な説明】
【００２１】
【図１】本発明の一実施例における固定用部材を取外して示すコネクタ装置の斜視図
【図２】固定用部材を取外して示すコネクタ装置の側面図
【図３】固定用部材を取外して示すコネクタ装置の正面図
【図４】固定用部材の装着状態で示すコネクタ装置の平面図
【図５】本発明の変形例を示す図２相当図
【符号の説明】
【００２２】
図面中、１はコネクタ装置、２は第１コネクタ、３は第２コネクタ、４は固定用部材、５，６はワイヤ、８は鍔部（傾き規制部、抜き規制部）、１２は窓部である。
【図１】
2007220525.tif 000003
【図２】
2007220525.tif 000004
【図３】
2007220525.tif 000005
【図４】
2007220525.tif 000006
【図５】
2007220525.tif 000007